(57)【要約】      （修正有）【課題】高齢や病気、障害等自力で歩行ができず自分で排泄の処理が困難な人のための寝返りが自由にできて排泄物漏れを起こさず室内への臭い拡散を起こさず常時装着できる排泄物を回収処理する装置を提供する。【解決手段】かとうせいの多層プラスチックシ−トに圧縮空気でふくらむ空気室を設け、空気室の充満と抜き去りにより圧迫力と排泄物の流通路形成を作れる装着具２で体にこびりついた排泄物の除去と洗浄汚物の吸引除去を確実に行う。閉鎖循環系を構成する中の回収手段に除菌・除臭手段７２ａ、７２ｂ、７２ｃで汚臭を除去するとともに発生源を断ち汚臭を拡散を防ぐ。また酸性電解水で洗浄し患部の殺菌で衛生状態を保つ。【選択図】図１
2005270590.tif 000002
【特許請求の範囲】
【請求項１】
洗浄ノズル、送気ノズル、吸引排出口、温度センサ−を有し被介護者に着脱可能な装着具と、排泄物を洗浄水とともに吸引回収する排出物回収トレイ、臭いを除去する除臭手段と送風手段、給水手段とからなる回収処理手段と、各処理部を連結する空気、水、信号並びに駆動源を流す可撓性管とケ−ブルより構成される連結手段とからなる排泄物回収処理装置。
【請求項２】
多層プラスチックシ−トからなり、表層に伸びにくい素材、裏層に不透水性で柔らかく、伸びる素材、中間に複数の層からなるシ−トで空気室が作られ、被看護人の腰臀部に装着でき、空気室は少なくとも２個以上複数のグル−プを単位とし圧縮空気により充満させられ、充満させた空気室がこびりついた排泄物と洗浄水を圧接し排泄物を拭い去るとともに、排出された空気が排泄物流出通路を形成する。かつ、装着具の外周部に別の空気室を設け排泄を検知して排泄物を吸引・洗浄・乾燥するとき空気室を圧縮空気で充満し肌と装着具を密閉し汚物漏れを防ぐようにした排泄物回収処理装置。
【請求項３】
洗浄水供給手段と送気チュ−ブの装着具直近に流路切換手段を設け排泄を検出すると流路が戻りル−トを形成するように変え暖気、加熱し人体温まで加熱すると流路切換手段を切換洗浄ノズルから洗浄水を吐出するとともに温風を吐出することを特徴とする排泄物回収処理装置。
【請求項４】
回収トレイに二酸化塩素除臭・除菌剤を注入散布し排泄物に含まれる臭い物質を分解除臭すると共に、排泄物を栄養源として臭い物質を作り出す雑菌を殺菌し臭いを抑える排泄物回収処理装置。
【請求項５】
外部で製造するか、あるいは内部に設けた電解水製造手段により製造した酸性電解水を洗浄水に用い、被介護人の腰臀部の殺菌をし患部のただれ、陵辱を防ぐと共に回収トレイの中で回収された排泄物の除菌も行う排泄物回収処理装置。
【請求項６】
被介護人の腰臀部に装着したとき装着具、と排泄物回収トレイ、送風手段が閉鎖循環系をなし、排泄物回収トレイと送風手段の間に代表的臭気である酸性の硫化水素、アルカリ性のアンモニア、中性のメチルメルカプタンに効果のある少なくとも３種類の独立した除臭手段を設け排泄物の回収、洗浄、乾燥時に発生した汚臭を除臭し、臭いが消えた後で高湿度の空気を排出し代わりに低湿度の空気を取り入れ腰臀部並びに装着具を乾燥させる排泄物回収処理装置。
【請求項７】
前記閉鎮循環系の排泄物回収ラインとは別に室内の空気を取り込み、該空気にマイナスイオンを放出しマイナスイオンを被介護人のいる室内に充満させるマイナスイオン発生器を併設した排泄物回収処理装置。
【発明の詳細な説明】
【技術分野】
【０００１】寝たきり、あるいは病気等のため自力で歩くことができず排便、排尿が困難な人に対し自動で排泄物を処理する装置と装着具に関するもので、回収した排泄物の臭いを外部へださず、雑菌の繁殖を抑える排泄物を処理する装置と、排泄部と周辺を包み込んで排泄物漏れを確実に阻止し、排泄物の吸引除去と周辺の清拭を衛生的に、円滑に行う装着具に関するものである。
【背景技術】
【０００２】従来は高齢や病気、障害等自力で歩行ができず自分で排泄の処理が困難な人のための排泄物を処理回収する装置が提案・実用化され始めている。
回収は下腹部へ装着具をつけ装着具と腰臀部の間を流下した排泄物を吸引し、他方で洗浄水で付着した排泄物を洗い去るようになっている。
排泄物を回収するには装着具と人体の密着性をよくし汚水、汚臭が外部に漏れないようにする必要がある。
しかし、体にこびりついた排泄物を洗浄するには体と一定の隙間が確保できる固定形状の装着具をつけ、強い水圧で洗浄するか、あるいは排泄物が装着具の排泄物吸入口に直接排泄される形状のものであつた。
前者は装着具の上下方向を一定範囲内にしないと横漏れ、吸引不動作をおこす。
後者は排泄位置と吸引口の装着位置がずれると体への付着、こびりつきをおこす。
【発明の開示】
【発明が解決しようとする課題】
【０００３】人間の体になじむ構造の装着具と、回収排泄物から汚臭を除去することで従来技術の諸問題を解決することを課題とする。
すなわち、常時装着でき柔らかく、寝返りが自由にできて、装着者に負担を与えずに排泄物漏れを起こさない装着具を提供する。【０００４】もう一つの課題は装着具から吸引回収した排泄物の汚臭を除去すると共に排泄物の雑菌の増殖を抑え、汚臭は装置内のみにとどめ快適に使用でき、かつ衛生的な排泄物回収処理装置を提供することにある。
【課題を解決するための手段】
【０００５】本装置は図２に示す体に装着して排泄物を吸引回収する装着具（２）と図１に示す排泄物を回収・保管する回収処理手段（１）に分かれ、両者を連結するケ−ブル及びチュ−ブ類より構成される。
装着具（２）は水を通さない多層のプラスチックシ−トでできており、腰臀部に装着するものである。
装着具は図３に示すように排泄を検知するセンサ−と排泄物を吸引する吸引口（１０）、吸引見合いの温風を吹き出す送気ノズル（６９）、排泄後に腰臀部並びに装着具についた排泄物を洗い流す洗浄ノズル（６８）が付いている。【０００６】排泄を捉えるセンサ−のうち一つは温度を検知するセンサ−（６６）で排泄物が排泄される位置に取り付けられる。大便用は大便の位置に、小便用は小便位置に、かつ男女それぞれ異なった位置に取り付けられる。センサ−は直接体に接触しない非接触型を用いる。
他の１つは臭いを検知するセンサ−（６７）で排泄物に直接接触しない位置に付けられる。
排泄が行われたタイミングは温度の上昇を持って認知する。装着具の温度は体温より低めである。排泄物は体温と同じでありセンサ−に排泄物が接すると計測値が数度上昇する。排泄前の温度に下がるまではしばらく時間がかかる。この温度上昇を持って排泄のタイミングとする。【０００７】更に装着具の断面は図４に示すように多層プラスタックシ−ト（６１）構造になっており、間が空気室（６２）を構成する様になっている。また空気室は図３のように短冊状になっている。
空気室は圧縮空気発生手段（５０）にて発生した圧縮空気を制御部からの信号で方向切換手段（５１）により充填と抜取ができるようになっている。空気室は１つおき、もしくは複数個離れた空気室と連結されていてグル−プを形成するようになっいる、同一グル−プは同時に充填と抜取ができる。一例として３グル−プに分けたものについて図５をもとに説明する、便宜的に３つのグル−プを（６２Ａ），（６２Ｂ），（６２Ｃ）と名付ける、空気充填は最初に（６２Ａ）に圧縮空気を注入し、（６２Ａ）を充満させる。次に（６２Ｂ）に圧縮空気を注入し、同時に（６２Ａ）の空気を抜き去っていく。（６２Ｂ）が充満したら次に（６２Ｃ）に圧縮空気を注入し、同時に（６２Ｂ）の空気を抜く。
装着具の多層プラスチックの収縮性は表層が一番少なく内部の空気室をなす（６２）部分が柔らかくなっている。空気室に圧縮空気を充填していくと空気室は膨張する。【０００８】装着具の表層面（６３）に収縮性が無いと空気室が膨張しても外側が押さえつけられ、内側へ向かってふくらもうとする。このことは装着具の裏層面（６０）を肌に押しつけるという動作となって作用する。（６２Ａ），（６２Ｂ），（６２Ｃ）が一巡したら最初の（６２Ａ）に戻りこれを繰り返す。
空気室が充満されると装着具は固くなり肌に圧迫力を加える様になる。
以上のように装着具を柔らかいプラスチックとして説明してきたが表層面（６３）の材質を従来多くの特許で提案されているように硬質の材料で作ることも可能である。硬質の材料を用いた場合には装着感に多少の難点があるが、排泄物吸引の時に肌と装着具の隙間を大きくとれ排泄物の吸引が容易になるメリットがある。
排泄物に洗浄水をかけて圧迫力を加えると布で擦り、拭うのと同等の効果が得られ、こびりついた排泄物を速やかに、かつ確実に拭い去ることができる。
一方空気を抜き去った空気室は柔らかくなり、温風を吹き流す時、肌と装着具（２）の間に空気を通すとき温風吹き出し口から吸引口への通路となる。このことは排泄物、汚水を吹き去り吸引口に導く役目をし排泄物の漏れ、回り込みを防ぎ、かつ排泄物の吸引残しを防ぐ働きをする。【０００９】装着具に流す水や空気は装置から管を通して送られる。管は可撓性を持ち内部の圧力が外部の圧力より下がってもつぶれない合成を有するものを用いる。また、この管は寝返りや歩行等のさまたげにならず排泄物吸引時の強い負圧にも耐えるもので本特許ではこのような管をチュ−ブと呼ぶ。【００１０】室温と同温度のチュ−ブに送気・送水を始めると初期時は室温と同じ温度の水や空気が腰臀部に注ぎ込まれることになる。室温は四季を通じ体温以下で、人は敏感な肌にいきなり冷たい風や水を吹き付けられると不快に感じる。
本装置では温風と洗浄水の供給ラインには予熱の期間中冷たい空気や水が装着具に流れ出ないようそれぞれペアをなす戻りラインを設けてある。【００１１】排泄物検知センサ−（６７）が排泄を検知した直後に温洗浄水と温風を装着具の手前で戻りラインにバイパスさせチュ−ブを完全に暖める。チュ−ブの戻りラインには温度センサ−（１８）、（３８）が取り付けられており、加熱の終了は温度センサ−（１８）、（３８）が一定温度まで上昇することを持って検出する。終了のタイミングのもう１つの方法はタイマ−で一定時間循環させたことを持って完了とする方法である。
チュ−ブの加熱が終わった後で戻り側ラインを閉じ装着具の洗浄ノズル（６８）からの洗浄水の吐出と送気ノズル（６９）からの温風の吹き出しを開始する。【００１２】洗浄の終了を検出のために洗浄水と汚水の透明度と導電度を検出する各２個のセンサ−が取り付けられている。
透明度の検出は吸引チュ−ブ（１１）の途中に外部の光を遮断した一角を設けここに発光素子（８６ａ）と受光素子（８６ｂ）を相対する位置関係に置き、発光素子からでる光が受光素子でどの程度減衰するか測定することによって行う。
発光素子と受光素子の間に排泄物の混じった水（汚水）が通ると着色された色を検出したり、固形物による光の遮断・減衰がおこる。
汚濁の認識は光の透過度、着色度、及び光の照度変化によって行える。【００１３】導電度の検出はチュ−ブの途中に相対する位置に電極（８７）を設置し、２点間の抵抗値の測定によって行う。
排泄物は人が食物から摂取した塩分を含むため一般に水道水より抵抗値が低い値になる。【００１４】清浄の判断は汚水の透明度と導電度が設定値以上の清浄な値を示していることと、排泄物を洗浄する前の供給側と排泄物を洗浄した汚水側の両者を比較し値が一致するかどうかを判断することで行う。両者の比較は洗浄水が濁っていて透明度が悪い場合や、塩分等で導電度の良い場合に単に透明度と導電度だけでは終了と見なせない時に有効である。
ただし、洗浄水に塩分、あるいは殺菌効果を持たせるため故意に塩基性、酸性にした洗浄水では導電度が排泄物より良くなっている可能性があり、導電度は比較対象にできない。また導電度の測定では電極２点間が完全に水に浸かっていないと正しい値は計測できない。給水側は問題ないが、吸引側は排泄物、洗浄水が途切れると空気の流れとなるため高い導電度、すなわち清浄になったと誤判断してしまう。誤判断を無くすため一定時間の中で変動する導電度の低い値をピックアップして判断すれば良い。
洗浄水吐出の停止のタイミングは汚水が清浄になったと判断後一定時間経過してから停止すると確実になる。【００１５】回収処理手段（１）の構成について図１、図６にもとづいて説明する。回収処理手段は大きく３室に分かれている。第１室（３）は排泄物回収、第２室（４）は除臭、第３室（５）は通風を目的とする部屋となっている。第１室（３）と第２室（４）、第２室（４）と第３室（５）の間には開口部があり通風路を形成するようになっている。
各々の部屋は以下のようになっている。【００１６】第１室（３）は排泄物を回収する部屋で装着具とつながれた排泄物吸引チュ−ブがこの部屋に継がっている。第１室（３）の床には排泄物回収トレイ（７０）が置かれている。トレイが一杯になったら都度排泄物を廃棄する。
この部屋は後述のブロワ−等送風手段（２０）が回転すると負圧になる構造となっている。吸引時に排泄物を巻き上げないために排泄物吸引チュ−ブの先端はできうる限り低位置に取り付けることが望ましい。
第１室（３）へは除臭・除菌を目的に薬液注入手段（７１）から薬液の注入を行う。
薬液注入のタイミングは排泄物吸引の開始と同時に始め、排泄物吸引の終了と同時に止める。
薬液は殺菌、消臭、発癌物質を発生しない等の点で二酸化塩素を主体とした処理剤が望ましく、第１室（３）、もしくは吸引チュ−ブ（１１）の途中へ噴霧・注入される。注入量は排泄量に比例させることが望ましいが、しかし比較的雑菌・臭いの少ない尿と、雑菌・臭いの多い便とでは必要量も変わるが排泄量の検知は難しい、薬剤量が多ければ除菌速度、除臭速度も速いが、臭い物質が分解され、雑菌の活動が停止されれば良く、汚水に溶けた状態での濃度が１〜１０ＰＰＭで実用的に許容される。【００１７】第１室（３）の隣に続く第２室（４）には第１室（３）からきた空気の除菌・除臭をする部屋となっている。除臭手段（７２）は汚臭物質を吸着、分解する活性炭フィルタ−と除臭剤で構成されている。人間の汚物臭の代表的なものはアンモニア、硫化水素、メチルメルカプタンがある。臭いは臭い物質を分解，他の物質を結合することで完全に除臭される。塩基性のアンモニアに対しては酸性の除臭剤が、酸性の硫化水素には塩基性の除臭剤が効果がある。中性の臭い物質や細菌には活性酸素・塩素による分子の分解や、細胞膜を分解をする除菌剤／除臭剤が効果的である。
本装置は閉鎖循環型であるため外気による希釈効果がない。従って循環空気の臭い物質は高濃度かつ、低下することはない、速やかに除臭し、汚臭漏れを防ぐ必要がある。
本発明では性質の異なる臭い物質に対しそれぞれに効果のある３種類以上の除臭手段（７２ａ），（７２ｂ），（７２ｃ）を接触しないよう分離して取付け、順番に通過するようになっている。【００１８】第２室（４）に続く第３室（５）は送風手段（２０）と加熱手段（２１）が置かれている、送風手段の吸引口は第２室（４）に継がっている。【００１９】送風手段の運転モ−ドには予熱モ−ド、吸引モ−ド、乾燥モ−ド、停止モ−ドの４つのモ−ドがある。予熱モ−ドは排泄の検知で始まり、チュ−ブ（１２），（１３）の加熱をもって終了する。このモ−ドは温風を装着具の手前の切換手段７（８１）で折り返し送風手段の吸引側に返送するモ−ドである。加熱手段（２１）は送風手段出口にあり送風手段の風量に応じて加熱制御するとともに、併せて温度センサ−（１８）の計測値も反映する。
予熱モ−ドはチュ−ブ、及び装置が体温と等しい温度まで上昇した時点で終了する。【００２０】吸引モ−ドは予熱終了をもって始まり、吸引した汚水が清浄になったことの検知を持って終了する。このモ−トでは経路が切換わり、送風手段から装着具への流路が形成される。
この時送風手段通風量は最大となる。【００２１】吸引モ−ドの後乾燥モ−ドになる。
一般に乾燥は水分が蒸発し湿度湿度が下がったことを言う。しかし、閉鎖循環系では水分が蒸発して湿度１００％に近づくにつれ蒸発量は少なくなっていき乾燥できなくなる。
従って、本装置の乾燥は次のように行う。
吸引モ−ドの終了とともに洗浄水の吐出をやめる。しかる後閉鎖状態で強い風力で送風のみを続けるこの状態をしばらく続けると肌、及び装着具についた水は吹き飛ばされていく。
しかし、肌、及び装着具の表面を湿らせている水分を吹き飛ばしきることは難しい、吹き飛ばすことのできる水を吹き飛ばしきった状態は吸引チュ−ブ（１１）につけた光センサ−（８６）で判断できる。すなわち光センサ−が検知している光度は飛沫となった水分が飛び散っている間は光センサ−を飛沫が横切ることによって強度が変化しつづける、光度の強度変化がなくなった時点をもって吹き飛ばしきったとみなすことができる。
この時点の臭い分子の量は薬液の除臭効果と第２室（４）の除臭の効果により緩和しつつある。【００２２】臭い量が許容値以下に下がったタイミングをもって閉鎖循環系から循環空気の一部を開閉手段（８４）を通し外部へ排出し、代わりに開閉手段（８３）を通し外部の空気を取り込む外気置換に入る。すなわち高湿度の循環空気の一部を外部へ排出し、外部の低湿度の空気を取り込む。
高湿度空気の排出位置は送風手段の出口以降でかつ装着具の前、外気取り込み位置は装着具の出口近くが望ましい。取り込みが装着具の出口から遠くなると装着具の圧力が高くなり乾燥モ−ド初期の水分吹き飛ばしが不完全で飛ばし残した水・排泄物を装着具のすきまから横漏れさせるおそれがある。乾燥の終了タイミングは乾燥後の湿度では捉えにくく、一定時間の乾燥をもって終了とみなすことが実用的である。【００２３】乾燥が済んだあと排泄検知のみを行うモ−ドが停止モ−ド。
停止モ−ドには全ての通風を停止する完全停止と第１室（３）から第３室（５）へ通風回路を形成させる停止のモ−ドを設ける。通風回路を形成させる停止では通風量は微風でよく、第１室（３）、第２室（４）の乾燥・脱臭・除菌を完全なものになる。【００２４】吸引空気の通風路形成の一例を図６に示す。排泄物吸引の送気はチュ−ブ（１２）、切換手段７（８１）を通って装着具に至る。
予熱モ−ドでは装着具への流れを止め切換手段７（８１）で折り返し送風手段の入口に返す。切換手段７（８１）は電気、あるいは空気等の駆動力で切り替えることができる。通路形成の他の一例を図８７に示す。この方法は装置がわに切換手段４（２２）をつけ、装着具側に切換手段５（２３）を設けたものである。予熱モ−ドの時は路切換は切換手段４（２２）が電気、あるいは空気等で駆動され送風手段を出た空気は切換手段４を出た後チュ−ブ（１３）に入る。チュ−ブ（１３）からは言った空気は切換手段５で装着具側へ流れるよりチュ−ブ（１２）に流れやすくなっており、流れは切換手段４を通って送風手段に戻る
吸引モ−ド、及び乾燥モ−ドの回路形成は以下のようになっている。送風手段の出口を出た空気は切換手段４を出た後チュ−ブ（１２）に入る。切換手段５は逆止機構が働きチュ−ブ（１３）へは流れることができず装着具側へ流れる。【００２５】装着具や排泄物を洗浄する洗浄水は貯水手段（３０）に貯留されている。
洗浄水は送水手段（３１）によって加圧され吐出される。
洗浄水はモ−ドにより異なる流路が形成される。
第１の流路は停止モ−ドで除菌・予熱を行うため形成される、洗浄水は送水手段（３１）を出た後切換手段１（３３）を通り、さらに電解殺菌手段（３４）を通って貯水手段（３０）に戻る。
貯水手段（３０）の出口に加熱手段（３２）がついていて貯水手段温度が体温と同じになるよう通電、循環を繰り返す。【００２６】第２の流路は予熱モ−ドの時に形成される。洗浄水は送水手段を出た後で折り返しチュ−ブ（１６）を通って貯水手段に回収されるル−トである。
この流路は排泄を検知して予熱モ−ドになったときに形成される。洗浄水の予熱を止めるタイミングは戻りラインに設置された温度センサ−（３８）が設定値になったことで終了タイミングと見なす。【００２７】第３の流路は排泄物を洗浄する時に形成される。洗浄水は送水手段をでた後切換手段１（３３），切換手段２（３６），チュ−ブ（１５）、切換手段３（３７）を通って装着具の洗浄ノズル（６８）より吐出する。排泄物は洗浄水とともに流され排泄物吸引口に吸引される。【００２８】洗浄終了後に洗浄ノズルの止水を完全にしておかないと装着具に圧迫力が加わった時や、体位が変わった時などで水が漏れ出してしまう。
水の漏れを防ぐためにノズルを細くする、遮断弁を先端部につける、あるいは水を出し切り最後にエアで置換する、水を逆流させノズルよりエアを吸い込む等の方法がある。【００２９】貯水手段（３５）は本装置が連続して処理できるだけの洗浄水を貯留する貯水手段である。
概ね回収トレイと同じ容積以上であれば良い。
洗浄水には本装置とは別に作られた酸性電解水を用いる。他の方法として図７．８に示すように本装置内に電解殺菌手段（３４）をつけ電解殺菌手段によって殺菌された水を用いることもできる。
酸性電解水を洗浄水にすると殺菌作用があるため被看護者の皮膚殺菌・消毒にも役立つ、また、人間の肌は酸性に保たれることによって雑菌に対する抵抗力を維持する働きがあり、肌への細菌感染を防げる。【００３０】次に電解殺菌手段の製造方法について図１１、図１２にもとづいて説明する。
貯水手段（３０）は体温に等しい温度に保っておくと排泄を検知したあと速やかに人体に心地よい洗浄水を吐出することができる。しかし、長い間保温しつづけると雑菌が繁殖してしまい、病弱者である被看護者には好ましいものではない。好ましい除菌手段として電解殺菌手段がある。
電解殺菌手段とは塩類の溶けた水を半透膜で仕切り両端に電極を入れ直流電圧をかけると電気分解しプラス極にマイナスイオン物質、マイナス極にプラスイオン物質ができる手段のことである。半透膜での仕切り方と塩類の注入法により図１１に示す２漕式電解水製造方式と３漕式電解水製造方式がある。塩類として食塩を用いた時はプラス極に次亜塩素酸ができ、マイナス極に苛性ソ−ダができる。プラス極にはさらにオゾンも発生する。
これらが水中の雑菌を除菌しかつ、増殖を抑える。水は電解殺菌手段を通ったあとで混合され中性の食塩に戻り安全である。
水の循環は早すぎると酸、アルカリに分離する量も少なく除菌効果も薄くなる、望ましい形は間歇的な循環を行い一度の量を電解装置の容積に等しくすること。
本装置に電解手段をつけ電解酸性水のみを洗浄に使うこともできる。この場合には電解アルカリ水を適度な周期で電解手段から排出する必要がある。【００３１】切換手段５（２３）及び切換手段３（３７）の詳細動作について図９にもとづいて説明する。切換手段はａ，ｂ，ｃの３つのポ−トがある場合にａのポ−トに注目した場合ａから切換手段方向へ流体を流した場合ｃへ流れていきｂへの流れは阻止される。ａの流れが逆の場合ｂから流れ込んだ流体はａに流れ出ていく。ｂについては流れがストップする。
動力源として電気、空気圧、水圧等で実現できる。しかし、切換手段は装着具の近くにつける必要がありできうれば特別な動力源を必要とせず、ａにある流体（空気，または水）の流れによりｂ，ｃの流れが阻止されると小型，軽量になる。一例としてｂ，ｃに逆止弁をつけｂはａからｂへ、ｃはｃからａへのみ流れるようにすることで実現できる。【００３２】切換手段１（３６），切換手段４（２２）は流れの方向を交差させるものである。図１０のように４つのポ−トａ，ｂ，ｃ，ｄがあり切換指令が状態１の時ａからの流れはｂへ行き、ｃからの流れはｄへ行く、他の状態２の時ａからの流れはｃへ行き、ｂからの流れはｄへ行くになるものである。【００３３】方向切換手段（５１）は１つの入口ポ−トから入った流れを複数の出口ポ−トのうちの１つへ順次切り替えていく手段である一例として電気信号で電磁弁開閉させる方法もある、他の方法としては入口ポ−トにかかる空気圧で切り替えることもできる。【００３４】本発明では排泄物処理のほかに更にマイナスイオン発生手段（９０）を付加した排泄物回収処理装置を提案する。
第４室（６）は第１室、第２室、第３室の流路とは独立した構造となっている。内部にマイナスイオン発生手段（９０）があり、ファン等の送風手段（９１）によって空気を取り込みマイナスイオンを帯電させて排気する。マイナスイオンは送風流路の途中に設置したイオン発生手段（９０）により発生させるが数多くの特許、文献等が出ているので詳細は割愛する。
被介護者のいる室内にマイナスイオンを注ぐことで心地よい空間を作るとともに、マイナスイオンの除臭効果が発揮される。
更に第４室（６）の送風流路に加湿手段を付加し湿度を加えることでマイナスイオンの滞留時間を延ばすことができ、マイナスイオンの効果を更に高めることができる。
【図面の簡単な説明】
【００３５】
【図１】排泄物回収処理装置の全体を示す説明図
【図２】装着具の外観図
【図３】装着具の平面図
【図４】装着具の断面図
【図５】装着具の空気室に空気が充満した時の断面図
【図６】本発明の空気・水の流れを示す配管系統図
【図７】本発明の変形例を示す配管系統図
【図８】本発明の変形例を示す配管系統図
【図９】切換手段の補足説明図
【図１０】切換手段の補足説明図
【図１１】２漕式電解水製造手段の説明図
【図１２】３漕式電解水製造手段の説明図
【符号の説明】
【００３６】１・・回収処理手段、２・・装着具、３・・第１室、４・・第２室、５・・第３室、１０・・吸引口、１１・・吸引チュ−ブ、１２・・チュ−ブ、１３・・チュ−ブ、１５・・チュ−ブ、１６・・チュ−ブ、１８・・温度センサ−、２０・・送風手段、２１・・加熱手段、２２・・切換手段４、２３・・切換手段５、３０・・貯水手段、３１・・送水手段、３２・・加熱手段、３３・・切換手段１、３４・・電解殺菌手段、３５・・貯水手段、３６・・切換手段２、３７・・切換手段３、３８・・温度センサ−、５０・・圧縮空気発生手段、５１・・方向切換手段、６０・・裏層面、６１・・多層プラスチックシ−ト、６２・・空気室、６３・・表層面、６６・・温度センサ−、６７・・排泄物検知センサ−、６８・・洗浄ノズル、６９・・送気ノズル、７０・・排泄物回収トレイ、７１・・薬液注入手段、７２・・除臭手段、８１・・切換手段７、８３・・開閉手段、８４・・開閉手段、８５・・切換手段８、８６・・光センサ−、８６ａ・・発光素子、８６ｂ・・受光素子、８７・・導電度センサ−、９０・・マイナスイオン発生手段、９１・・送風手段
【図１】
2005270590.tif 000003
【図２】
2005270590.tif 000004
【図３】
2005270590.tif 000005
【図４】
2005270590.tif 000006
【図５】
2005270590.tif 000007
【図６】
2005270590.tif 000008
【図７】
2005270590.tif 000009
【図８】
2005270590.tif 000010
【図９】
2005270590.tif 000011
【図１０】
2005270590.tif 000012
【図１１】
2005270590.tif 000013
【図１２】
2005270590.tif 000014